(57)【要約】【課題】オルゴールに設けられたゼンマイを動力とし、オルゴールの回転軸に多層カムやカム付き冠歯車を備えることによって、オルゴールを正常に鳴奏させると共に、玩具に種々の動作を行わせることができる動作玩具を提供することを課題とする。【解決手段】ゼンマイを用いたオルゴールを有する動作玩具であって、前記オルゴールの回転軸に軸着した冠歯車とカムで形成されたカム付き冠歯車と、前記カムと係合する複数の継手と、前記冠歯車と係合する歯車と、前記各継手及び各々歯車と係合する複数の動作部を設けて構成した。【選択図】図１
2006149980.tif 000002
【特許請求の範囲】
【請求項１】
ゼンマイを用いたオルゴールを有する動作玩具であって、前記オルゴールの回転軸に軸着した冠歯車とカムで形成されたカム付き冠歯車と、前記カムと係合する複数の継手と、前記冠歯車と係合する歯車と、前記各継手及び各々歯車と係合する複数の動作部を備え、ゼンマイの駆動によって、オルゴールを鳴奏し且つ、動作部を動作させることを特徴とした動作玩具。
【請求項２】
ゼンマイを用いたオルゴールを有する動作玩具であって、前記オルゴールの回転軸に軸着した複数のカムで形成された多層カムと、前記多層カムの各々のカムと係合する複数の継手と、前記複数の各継手と係合する複数の各々動作部を備え、ゼンマイの駆動によって、オルゴールを鳴奏し且つ、動作部を動作させることを特徴とした動作玩具。
【請求項３】
請求項１又は２において、動作玩具には、形象体が設けられていることを特徴とした動作玩具。
【請求項４】
請求項３において、形象体は、人形を模して形成され、複数の動作部の一つである第一動作部は、前記形象体の両手を模して形成され、ゼンマイの駆動に伴って形象体の両手が動作させることを特徴とした動作玩具。
【請求項５】
請求項４において、動作玩具には、ピアノを模して形成された形象物を備え、第一動作部の動作によって動作する第二動作部は、前記ピアノを模して形成された形象物の鍵盤部であり、第一動作部の動作によって、鍵盤部が動作し、形象体が恰もピアノを演奏しているかの如く動作させることを特徴とした動作玩具。
【請求項６】
請求項３乃至５のいずれかにおいて、形象体は、人形を模して形成され、複数の動作部の一つである第三動作部は、前記形象体の頭部を模して形成され、ゼンマイの駆動に伴って形象体の頭部が左右方向に回動させることを特徴とした動作玩具。
【請求項７】
請求項３乃至６のいずれかにおいて、動作玩具には、メトロノームを模した形象物を備え、複数の動作部の一つである第四動作部は、前記メトロノームの振り子を模して形成し、ゼンマイの駆動に伴って振り子を揺動させることを特徴とした動作玩具。
【発明の詳細な説明】
【技術分野】
【０００１】
本発明は、オルゴールを内蔵する動作玩具に関するものである。
【背景技術】
【０００２】
従来、オルゴールを内蔵する動作玩具において特開平０８−２３８３８４号公報「オルゴールユニット」のように、回転伝達軸に応力が加わってもオルゴール機構を損傷しない強度を持つオルゴールがあった。
【０００３】
しかしながら、従来技術の玩具は動作部が頭部のみであった。そこで、複数の動作部をオルゴールの動作によって動作させ、遊技者に対して趣向の高い玩具が求められていた。
【特許文献１】特開平０８−２３８３８４号公報
【発明の開示】
【発明が解決しようとする課題】
【０００４】
そこで、本発明は、上記従来技術の問題点に斯かる実情に鑑みなされたもので、オルゴールに設けられたゼンマイを動力とし、オルゴールの回転軸に多層カムやカム付き冠歯車を備えることによって、オルゴールを正常に鳴奏させると共に、玩具に種々の動作を行わせることができる動作玩具を提供することを課題とする。
【課題を解決するための手段】
【０００５】
請求項１記載の発明は、ゼンマイを用いたオルゴールを有する動作玩具であって、前記オルゴールの回転軸に軸着した冠歯車とカムで形成されたカム付き冠歯車と、前記カムと係合する複数の継手と、前記冠歯車と係合する歯車と、前記各継手及び各々歯車と係合する複数の動作部を備え、ゼンマイの駆動によって、オルゴールを鳴奏し且つ、動作部を動作させることを特徴とする。
【０００６】
請求項２記載の発明は、ゼンマイを用いたオルゴールを有する動作玩具であって、前記オルゴールの回転軸に軸着した複数のカムで形成された多層カムと、前記多層カムの各々のカムと係合する複数の継手と、前記複数の各継手と係合する複数の各々動作部を備え、ゼンマイの駆動によって、オルゴールを鳴奏し且つ、動作部を動作させることを特徴とする。
【０００７】
請求項３記載の発明は、請求項１又は２において、動作玩具には、形象体が設けられていることを特徴とする。
【０００８】
請求項４記載の発明は、請求項３において、形象体は、人形を模して形成され、複数の動作部の一つである第一動作部は、前記形象体の両手を模して形成され、ゼンマイの駆動に伴って形象体の両手が動作させることを特徴とする。
【０００９】
請求項５記載の発明は、請求項４において、動作玩具には、ピアノを模して形成された形象物を備え、第一動作部の動作によって動作する第二動作部は、前記ピアノを模して形成された形象物の鍵盤部であり、第一動作部の動作によって、鍵盤部が動作し、形象体が恰もピアノを演奏しているかの如く動作させることを特徴とする。
【００１０】
請求項６記載の発明は、請求項３乃至５のいずれかにおいて、形象体は、人形を模して形成され、複数の動作部の一つである第三動作部は、前記形象体の頭部を模して形成され、ゼンマイの駆動に伴って形象体の頭部が左右方向に回動させることを特徴とする。
【００１１】
請求項７記載の発明は、請求項３乃至６のいずれかにおいて、動作玩具には、メトロノームを模した形象物を備え、複数の動作部の一つである第四動作部は、前記メトロノームの振り子を模して形成し、ゼンマイの駆動に伴って振り子を揺動させることを特徴とする。
【発明の効果】
【００１２】
請求項１記載の発明によれば、オルゴールに設けられたゼンマイを動力とし、オルゴールの回転軸にカム付き冠歯車と継手を備えることによって、オルゴールを正常に鳴奏すると共に、玩具自体が複数の動作を行うことができる。
【００１３】
請求項２記載の発明によれば、オルゴールに設けられたゼンマイを動力とし、オルゴールの回転軸に多層カムと継手を備えることによって、オルゴールを正常に鳴奏すると共に、玩具自体が複数の動作を行うことができる。
【００１４】
請求項３記載の発明によれば、動作玩具に形象体を設けることによって、使用者に対して趣向の高い動作玩具を提供することができる。
【００１５】
請求項４記載の発明によれば、形象体は、人形を模して形成され、複数の動作部の一つを該形象体の両手とすることによって、該人形に様々な動作を行なわせることができ、使用者に対して趣向の高い動作玩具とすることができる。
【００１６】
請求項５記載の発明によれば、動作玩具にピアノを模した形象物を設け、該形象物のピアノの鍵盤部が前記形象体の両手の動作に合わせて、動作することによって、形象体が恰もピアノを演奏しているかの如く動作させることができる。
【００１７】
請求項６記載の発明によれば、形象体の人形の頭部を左右方向へ回動させる動作を行わせることによって、使用者に対して趣向の高い動作玩具とすることができる。
【００１８】
請求項７記載の発明によれば、他の形象物としてメトロノームを模して形成し、該メトロノームの振り子をオルゴールの鳴奏にあわせ動作させることによって、恰もメトロノームの動作と鳴奏に合わせた形象体の動作をさせることができ、使用者に対して趣向の高い動作玩具とすることができる。
【発明を実施するための最良の形態】
【００１９】
ゼンマイを用いたオルゴールを有する動作玩具であって、前記オルゴールの回転軸に軸着した冠歯車とカムで形成されたカム付き冠歯車と、前記カムと係合する複数の継手と、前記冠歯車と係合する歯車と、前記各継手及び各々歯車と係合する複数の動作部と、形象体を備え、前記形象体は、人形を模して形成され、複数の動作部の一つである第一動作部は、前記形象体の両手を模して形成し、複数の動作部の一つである第三動作部は、前記形象体の頭部を模して形成されている。また、前記動作玩具には、ピアノを模して形成された形象物を備え、前記ピアノを模して形成された形象物は鍵盤部を備え、この鍵盤部を第一動作部の動作によって動作する第二動作部とし、且つ動作玩具には、メトロノームを模した形象物を備え、複数の動作部の一つである第四動作部は、前記メトロノームの振り子を模して形成されている。
【００２０】
また、上述のゼンマイを用いたオルゴールを有する動作玩具において、カム付き冠歯車を多層カムに換えて、前記オルゴールの回転軸に複数のカムで形成された多層カムと軸着し、前記多層カムの各々のカムと係合する複数の継手を設け、前記複数継手と係合する複数の動作部を設けることとしてもよい。
【実施例】
【００２１】
図１は、本発明の一実施例の動作玩具である玩具本体１０の外観を示す図である。実施例の玩具本体１０は、ピアノ及び椅子を模した形象物３０と該ピアノを操作するキャラクター人形を模した形象体２０を備え、該キャラクター人形がピアノを弾いているかのように形成されている。また該ピアノ上部には、メトロノームを模した形象物３０が形成され、該メトロノームがピアノに載置されている。
【００２２】
玩具本体１０は、玩具本体１０内に組み込んだオルゴール５２により音楽を鳴奏しながらキャラクター人形の頭部２２、腕部２４が動作すると共に、該腕部２４の動作に伴ってピアノの鍵盤部３２が押圧され動作するようになっている。またピアノ上部に載置されたメトロノームの振り子４０もオルゴール５２の音楽に合わせて振り子動作を行うようになっている。
【００２３】
図２〜図５の玩具本体１０の分解斜視図面を用いて機構の説明を行う。玩具本体１０の機構は、駆動部と第一動作部、第二動作部、第三動作部、第四動作部と、各動作部と駆動部の駆動を伝達する各種継手によって構成されている。形象体２０であるキャラクター人形の頭部２２、腕部２４がそれぞれ動作するようになっており、キャラクター人形の腕部２４が、第一動作部、キャラクター人形の頭部２２が、第三動作部となっている。また、形象物３０であるピアノの鍵盤部３２が動作するようになっており、該鍵盤部３２が、第二動作部である。そして、ピアノ上部に載置されている形象物３０であるメトロノームの振り子４０が動作するようになっており、該振り子４０が第四動作部である。
【００２４】
形象体２０である該キャラクター人形は、例えば、動物・ロボット・仮想のキャラクターなど、どのような形象体２０であっても構わない。また、第一動作部及び第三動作部は、該形象体２０の足などの一部を模して形成してもよい。ロボットなどの場合においては、スクリュー、ハンドルなどを模して形成し動作させるようにしてもよい。   
【００２５】
また、形象物３０として、実施例では、ピアノ及びメトロノームなどを模して形成されているが、ピアノの他にもギター、ドラム、トランペットなどの楽器を模して形成すると、オルゴール５２の鳴奏と合い好適であるが、どのような形象物３０であってもよい。
【００２６】
次に駆動部の構成は、オルゴール５２のゼンマイ５３により回転するシリンダ軸５６及びこの回転軸であるシリンダ軸５６の先端に取付けたカム付き冠歯車５８によって構成されている。オルゴール５２は一般的なゼンマイ５３、シリンダ５４、コーム５７を備えている。
【００２７】
まずオルゴール５２の説明を行う。オルゴール５２には、シリンダ式とディスク式の２種のオルゴール５２の種類が有るが、どちら種類のオルゴール５２でも動作可能である。実施例では、シリンダ式のオルゴール５２を例としている。
【００２８】
ゼンマイ５３は金属製の帯のような形をし、渦巻きのように巻かれているスプリング状のもので、巻き上げられることによって力が貯えられるようになっており、図示しないがレバー操作によって、ゼンマイ５３の回転を作動させたり止めたりすることが可能となっている。
【００２９】
またゼンマイ５３の巾と厚みはゼンマイ５３の発生するトルクに大きく影響を及ぼすようになっており、ゼンマイ５３の巾が２倍になれば２倍のトルクを発生し、厚みが２倍になると８倍のトルクを発生するようになる。また、ゼンマイ５３の持続時間は、ゼンマイ５３の長さが長くなるほど力の発生する持続時間が伸びるようになっている。
【００３０】
次にシリンダ５４は、シリンダ軸５６に軸着し円筒形に設けられ、円筒外周面にピンが突設して形成されている。またコーム５７は、櫛形状となっており、該櫛の１本１本の歯は、その長さや、重さなどで振動する周波数が変わり、音階を奏でるようになっている。ゼンマイ５３の回転力によって、該シリンダ５４が回転し、ピンが歯を持ち上げてはじくことによって、音を発生するようになっており、連続してピンが歯をはじくことによって音楽を出力するようになっている。このピンの配置と歯の構成を変えることによって、様々な音楽を奏でることが可能となっている
【００３１】
駆動部のカム付き冠歯車５８を説明する。カム６０と冠歯車６２の２層からなるカム付き冠歯車５８で、１層目は、複数の凹凸を有するカム６０、２層目は、回転角度を直角に変更する冠歯車６２に形成されている。１層目のカム６０の回転によって、第四動作部であるメトロノームの振り子４０を動作させる。また、第２層目の冠歯車６２の回転によって、第一〜第三動作部である頭部２２、腕部２４、鍵盤部３２を動作させるものである。
【００３２】
まず第四動作部の動作説明を行う。カム付き冠歯車５８の回転は、カム６０と係合するＬ字型継手６４と平板継手７０を介して、第四動作部に伝達され、第四動作部を動作させるようになっている。
【００３３】
まずカム付き冠歯車５８の１層目となる複数の凹凸を有するカム６０に係合するＬ字型継手６４は、玩具本体１０内にＬ字型継手６４の中央に設けられた軸穴６６を中心に回動自在に軸支されている。Ｌ字型継手６４の形状は、Ｌ字型に形成され、Ｌ字の一端が凸形状に形成され、凸形状に形成された端部が該カム６０と係合し、他端は平板継手７０と係合する。
【００３４】
また、Ｌ字型継手６４は、該軸穴６６に近接した位置に、ねじりバネ７６を係合する穴６８が穿設されている。ねじりバネ７６は、筒型形状に形成され、Ｌ字型継手６４を軸支する軸の外周面を覆うように配設されている。各々端部は、該穴６８と玩具本体内の壁面に当接している。すなわちＬ字型継手６４は、ねじりバネ７６の力によって、Ｌ字型継手６４の凸形状に形成された端部が、カム６０の外周面を押圧し続けるようになっている。このことから、カム６０の凸部が回転することによって、Ｌ字型継手６４の外周面の凹凸に応じて、Ｌ字型継手６４は、軸穴６６を中心に回動するようになる。
【００３５】
平板継手７０は、方形状に形成され、長手方向の各々端部に凹部７２が形成されている。また、平板継手７０には、軸穴７４が形成され、玩具本体内に該軸穴７４を中心に回動自在に軸支されている。平板継手７０の各々端部に形成された凹部７２は、Ｌ字型継手６４の端部と、第四動作部である振り子４０の端部と係合し、Ｌ字型継手６４の回動に応じて、平板継手７０も、回動を行うようなり、Ｌ字型継手６４の水平方向の回動は、平板継手の垂直方向回動へと変換されるようになる。
【００３６】
第四動作部である振り子４０は、玩具本体１０のメトロノームを模した形象物３０内に、回動自在に軸支されている。振り子４０の一端は、メトロノームの振り子４０を模して形成され、他端は、平板継手７０と係合する。第四動作部である振り子４０は、平板継手７０の回動に応じて、揺動動作を行うものである。すなわち、カム付き冠歯車５８の回転によって、Ｌ字型継手６４、平板継手７０を介して、揺動動作が伝達され、この揺動動作によって恰もメトロノームの如く、振り子４０を動作させることが可能となる。
【００３７】
第一及び第三動作部の動作説明を行う。カム付き冠歯車５８の回転は、第一伝達軸７８を介して、図３に示す多層カム８８が軸着している第二伝達軸８４回転させ、多層カム８８の回転に応じて、第一動作部及び第三動作部が動作を行うようなっている。また第二動作部は、第一動作部の動作によって動作するものである。
【００３８】
カム付き冠歯車５８の２層目となる冠歯車６２に係合する第一伝達軸７８は、図２に示したように、玩具本体１０内に軸支されている。第一伝達軸７８は、軸８０の両端に歯車８２を備え、一方の歯車８２が、カム付き冠歯車５８の冠歯車６２と係合し、他端の歯車８２が、Ｄ字型穿孔９８を有する冠歯車９６と係合するようになっており、カム付き冠歯車５８の回転は、Ｄ字型穿孔９８を有する冠歯車９６へと伝達される。２つの冠歯車を介することによって、垂直方向から水平方向へと回転方向が変換され、再び垂直方向への回転方向となるようになる。
【００３９】
図３に示したように、Ｄ字型穿孔９８を有する冠歯車９６は、円筒形状に形成され、円筒の下端部は、冠歯車が形成され、また円筒の上端部には、Ｄ字型の穿孔が形成されている。該Ｄ字型の穿孔は、第二伝達軸８４の端部に軸着したＤ字型係合部９４と嵌着するようになっており、第二伝達軸８４へと、回転を伝達するようになる。
【００４０】
第二伝達軸８４には、２層のカムからなる多層カム８８が軸着している。また第二伝達軸８４の軸の一端には、円筒の側面を削ったように形成されたＤ字型係合部９４が軸着し、他端には、図４に示すように首振軸１００が回動自在に軸支されている。多層カム８８は、第一動作部を動作させ多層カム８８の上方方向に複数の凹凸を有する第一カム９０と、第三動作部を動作させ多層カム８８の水平方向に複数の凹凸を有する第二カム９２で形成されている。
【００４１】
第一カム９０の凹凸は、１８０度で凹凸が逆になるように形成され、図３に示すように第一動作部である腕部２４を動作させる２つの作動片１０６が第一カム９０の１８０度ずれた位置でそれぞれ係合しており、一方の作動片１０６は、第一カム９０の凸部で係合している場合においては、他方の作動片１０６は、凹部で係合するものである。
【００４２】
作動片１０６は、方形状で、一端は、鋭角状に形成され第一カム９０と係合し、他端には、軸穴１０８が形成されている。該軸穴１０８は、腕部２４に形成されているクランク２６と係合するようになっている。また作動片１０６は、長手方向に摺動可能に形象体２０内に内設され、該腕部２４による自重によって、第一カム９０の凹凸を押圧するようになり、第一カム９０の凹凸に応じて摺動する。
【００４３】
腕部２４は、形象体２０の腕部２４を模して形成され、その一端には、クランク２６が形成されており、該クランク２６の軸２８が形象体２０に回動自在に軸支されている。また、クランク２６の他端は、作動片１０６に形成された軸穴１０８と係合し、作動片１０６が上下に摺動動作を行うと、該クランク２６の軸２８を中心に、揺動動作を行うようになる。すなわちクランク２６が形成されている形象体２０の腕部２４を模した第一動作部も揺動動作を行うものである。
【００４４】
多層カム８８の水平方向に複数の凹凸を有する第二カム９２は、図４に示すように、形象体２０内に摺動可能に備えられた摺動板１１０と係合する。摺動板１１０は、方形の板形状に形成され、第二伝達軸８４の軸８６への衝突を回避すると共に、摺動方向を制限する長穴１１２と、首振軸１００に形成されたクランク１０２が係合する係合溝１１４がある。また、摺動板１１０の側面には、摺動軸１１６が形成され、形象体２０内に摺動可能に軸支されている。さらに底面には三角凸部１１８が形成され、該三角凸部１１８が、第二カム９２と係合するものである。
【００４５】
また、摺動軸１１６を覆うように圧縮バネ１２０が備られ、該圧縮バネ１２０の力によって第二カム９２の凹凸に摺動板１１０の三角凸部１１８が押圧するようになり、第二カム９２の凹凸に応じて、摺動板１１０が摺動動作を行うようになっている。この摺動板１１０の摺動動作によって、該摺動板１１０の係合溝１１４に係合する首振軸１００のクランク１０２が軸回転するようになる。すなわち摺動板１１０の摺動動作に応じて首振軸１００は、左右方向に回動するようになる。
【００４６】
首振軸１００は、円筒形状に形成され、底面部には、第二伝達軸８４の軸８６を軸支する軸穴１０４が穿孔されている。また、底面部の側面には、係合溝１１４と係合するクランク１０２が形成されている。また、首振軸１００の上部を覆うように、形象体２０の頭部２２を模した第三動作部である頭部２２が形成されている。すなわち、首振軸１００が回転することにより、第三動作部である頭部２２が左右方向へと回転するようになる。
【００４７】
次に第二動作部の説明を行う。第二動作部は、図５に示すように、ピアノの鍵盤の一部を模した鍵盤部３２である。ピアノの鍵盤を模して形成し、２つの開口部４４を有する外装部品４２と、外装部品４２と同様に、ピアノの鍵盤の一部を模して形成した第二動作部としての鍵盤部３２で構成されている。ピアノの鍵盤を模した外装部品４２には、鍵盤の一部を開口した開口部４４が２つ形成されている。該開口部４４の中央には、掛架された軸４６がそれぞれ形成されている。また、該軸４６と並行面となる開口部４４の側面に鉤止可能な突板４８が形成されている。
【００４８】
鍵盤部３２の外形は、ピアノの鍵盤の一部を模した形状に形成されている。また鍵盤部３２の長手方向の側面部には、凹部３４が形成され、該凹部３４が、外装部品４２の開口部４４に掛架された軸４６に回動自在に軸架されている。また、鍵盤部３２の一端には、開口部４４の突板４８に鉤止する為の凸部３６が形成され、鍵盤部３２の他端の底面には、錘（図示しない）となる部品が設けられている。
【００４９】
すなわち、外装部品４２の開口部４４に掛架された軸４６に、鍵盤部３２を軸架し、該鍵盤部３２の凸部３６付近を上方より押圧すると、該鍵盤部３２が、該軸４６を中心に回転し、鍵盤部３２が沈み込む動作を行うようになる。また、上方からの押圧する力が無くなると、鍵盤部３２に設けられた錘によって先の回転とは逆の回転を行うようになる。そして、鍵盤部３２の凸部３６が、開口部４４の突板４８に当接し、鍵盤部３２の回転が抑止され、該鍵盤部３２が元の位置に復帰するようになる。
【００５０】
また、この第二動作部である鍵盤部３２は、第一動作部である腕部２４が上下に揺動動作を行うことによって、該鍵盤部３２と当接するようなり、第一動作部である腕部２４の動きに応じて動作するようになる。この動作によって、形象体２０であるキャラクター人形が、恰もピアノを演奏しているかの如く動作させることができる。
【００５１】
上述のようにゼンマイ５３からの駆動は、カム付き冠歯車５８と、各動作部を繋ぐ継手及び歯車を介して、複数の動作部を動作させることによって、オルゴール５２より音楽を鳴奏しながらキャラクター人形の頭部２２、腕部２４が動作すると共に、該腕部２４の動作に伴ってピアノの鍵盤が押圧され動作するようになっている。またピアノ上部に載置されたメトロノームの振り子４０もオルゴール５２の音楽に合わせて振り子動作を行うようになっている。
【００５２】
次に、図６〜図８を用いて第二実施例の説明を行う。上述の第一実施例と異なるのは、玩具本体１０内の機構であり、動作部の動作量や動作パターンに変化はなく、外観も第一実施例と同様である。また、第二動作部である鍵盤部３２は、第一実施例と同様であり、説明割愛する。
【００５３】
第二実施例の駆動部は、第一実施例のカム付き冠歯車５８を多層カム１２２に置き換えたものであり、オルゴール５２のゼンマイ５３により回転する回転軸としてのシリンダ軸５６及びこのシリンダ軸５６の先端に取付けた多層カム１２２によって構成されている。複数の層からなる多層カム１２２は、それぞれ第一カム１２４、第二カム１２６、第三カム１２８、第四カム１３０の４つの層で形成されている。第一カム１２４及び第三カム１２８は、第一動作部である腕部２４を動かし、第二カム１２６は、第三動作部である頭部２２を回転させる。第四カム１３０は、第四動作部であるメトロノームの振り子４０を動作させるようしている。
【００５４】
また、第一カム１２４と第三カム１２８は、同一であり、凹凸の間隔及び凹凸の高さは同じとなっている。第一カム１２４と第三カム１２８は、その凹凸が逆になるように軸着されている。例えば、第一カム１２４が凸部である回転軸の位置では、第三カム１２８が凹部となるようになっている。また、第一カム１２４には、第一継手１３４が係合し、第二カム１２６には第二継手１３６が係合し、第三カム１２８には第三継手１３８が係合し、第四カム１３０には第四継手１４０が係合している。また、第一継手１３４と第三継手１３８の形状は同一の物である。また、各継手の一端は、多層カム１２２と係合し、その形状は三角の凸形状に形成されている。三角の凸形状に形成された各継手の端部が多層カム１２２の凹凸を常に押圧するように玩具本体は、圧縮バネ１３２が設けられている。
【００５５】
図８（Ａ）に示すように第一継手１３４と第三継手１３８の形状は平板状であり、その中央付近が僅かに屈曲した形状となっている。第一及び第三継手１３８の他端の側面は、第一継手棒１４２、第三継手棒１４６の一端と当接し、第一継手棒１４２及び第三継手棒１４６を上下方向に摺動動作させる。また、第一及び第三継手１３８の中央付近には、玩具本体１０に軸支された軸穴が設けられ、該軸穴を中心に回動するようになっている。
【００５６】
第一継手棒１４２及び第三継手棒１４６は、図７に示すように、形象体２０内に摺動可能に内設している。第一継手棒１４２及び、第三継手棒１４６の他端は、それぞれ第一実施例の第一動作部である腕部２４と同様に、腕部２４に設けられたクランク２６と係合するようになっている。第一継手棒１４２及び第三継手棒１４６の摺動動作によって、腕部２４に設けられたクランク２６が、その軸２８を中心に回動動作を行い、第一動作部である腕部２４が、揺動動作を行うものである。
【００５７】
また第二継手１３６の形状も第一及び第三継手１３８とほぼ同一の形状に形成されているが、第二継手１３６の他端は、Ｌ字型継手１５４と係合するようになっている。Ｌ字型継手１５４は、Ｌ字状に形成され、その一端は、第二継手１３６の端部と係合し、他端は凹部形状に形成され、第二継手棒１４４の一端と係合するようになっている。また、Ｌ字型継手１５４の中央部は、玩具本体１０に軸支され、第二継手１３６の回動に伴って、Ｌ字型継手１５４も回動動作を行うものである。すなわち、図８の（Ｂ）に示すように、第二継手１３６が回動して端部が上下動すると、Ｌ字型継手１５４は回動して第二継手棒１４４との係合端を前後に往復動作させる。そして、第二継手棒１４４は、形象体２０内に回動自在に軸支されている。第二継手棒１４４の他端は、第三動作部である頭部２２に軸着しており、該第二継手棒１４４が、Ｌ字型継手１５４によって、回転動作されることによって、第三動作部である頭部２２が左右に回転するようになる。
【００５８】
第四継手１４０の形状は、第一及び第三継手１３８の軸穴部より先端がない形状となっている。また、図６に示すように、第四継手１４０の側面には、摺動継手１５２が係合しており、第四継手１４０の回転運動を摺動動作へと変換している。摺動継手１５２は、玩具本体１０内に摺動自在に内設し、摺動継手１５２は、Ｌ字型継手１４８と係合する。Ｌ字型継手１４８は、玩具本体１０内に回動自在に軸支され、Ｌ字型継手１４８の一端は、第四動作部であるメトロノームの振り子４０と係合し、他端には、摺動継手１５２の係合する長穴１５０が形成されている。第一実施例の第四動作部と同様にＬ字型継手１４８が揺動動作を行うことによって、メトロノームの振り子４０を模した第四動作部が揺動動作を行うようになる。
【００５９】
上述のようにゼンマイ５３からの駆動は、多層カム１２２と、各動作部を繋ぐ継手を介して、各動作部を動作させることによって、オルゴール５２より音楽を鳴奏しながらキャラクター人形の頭部２２、腕部２４が動作すると共に、該腕部２４の動作に伴ってピアノの鍵盤が押圧され動作するようになっている。またピアノ上部に載置されたメトロノームの振り子４０もオルゴール５２の音楽に合わせて振り子動作を行うようになっており、第一実施例とは異なる駆動部で構成できる。
【００６０】
以上２つの実施例を説明したように構成することにより、オルゴールに設けられたゼンマイを動力とし、ゼンマイにより駆動するオルゴールの回転軸に多層カムやカム付き冠歯車を備えることによって、オルゴールを正常に鳴奏させると共に、玩具自体が動作を行うことができる動作玩具を提供することができる。また、好ましい実施例を挙げて本発明を説明したが、本発明はその実施例に限定されるものではなく、特許請求の範囲に記載した技術的範囲内で種々に改変できる。
【図面の簡単な説明】
【００６１】
【図１】本発明の一実施例である動作玩具の外観を示す図である。
【図２】本発明の一実施例である動作玩具の分解斜視図である。
【図３】本発明の一実施例である動作玩具の分解斜視図である。
【図４】本発明の一実施例である動作玩具の分解斜視図である。
【図５】本発明の一実施例である動作玩具の分解斜視図である。
【図６】本発明の一実施例である動作玩具の第二実施例の分解斜視図である。
【図７】本発明の一実施例である動作玩具の第二実施例の分解斜視図である。
【図８】本発明の一実施例である動作玩具の第一〜第三継手の側面図である。
【符号の説明】
【００６２】
１０  玩具本体
２０  形象体
２２  頭部
２４  腕部
２６  クランク
２８  軸
３０  形象物
３２  鍵盤部
３４  凹部
３６  凸部
４０  振り子
４２  外装部品
４４  開口部
４６  軸
４８  突板
５２  オルゴール
５３  ゼンマイ
５４  シリンダ
５６  シリンダ軸
５７  コーム
５８  カム付き冠歯車
６０  カム
６２  冠歯車
６４  Ｌ字型継手
６６  軸穴
６８  穴
７０  平板継手
７２  凹部
７４  軸穴
７６  ねじりバネ
７８  第一伝達軸
８０  軸
８２  歯車
８４  第二伝達軸
８６  軸
８８  多層カム
９０  第一カム
９２  第二カム
９４  Ｄ字型係合部
９６  冠歯車
９８  Ｄ字型穿孔
１００  首振軸
１０２  クランク
１０４  軸穴
１０６  作動片
１０８  軸穴
１１０  摺動板
１１２  長穴
１１４  係合溝
１１６  摺動軸
１１８  三角凸部
１２０  圧縮バネ
１２２  多層カム
１２４  第一カム
１２６  第二カム
１２８  第三カム
１３０  第四カム
１３２  圧縮バネ
１３４  第一継手
１３６  第二継手
１３８  第三継手
１４０  第四継手
１４２  第一継手棒
１４４  第二継手棒
１４６  第三継手棒
１４８  Ｌ字型継手
１５０  長穴
１５２  摺動継手
１５４  Ｌ字型継手
【図１】
2006149980.tif 000003
【図２】
2006149980.tif 000004
【図３】
2006149980.tif 000005
【図４】
2006149980.tif 000006
【図５】
2006149980.tif 000007
【図６】
2006149980.tif 000008
【図７】
2006149980.tif 000009
【図８】
2006149980.tif 000010